(57)【要約】【課題】製造に手数を要さず、製品の製造コストを低廉にできるとともに、着脱操作の容易なネクタイ留め具を提供すること。【解決手段】ネクタイ１の裏側に設けられたループ部１１を保持して、このネクタイ１のループ部１１とワイシャツ２のボタン２１とを繋ぎ止めるネクタイ留め具であって、一端側にリング部４を、他端側にリング部４に挿通することによってネクタイ１のループ部１１を保持する保持部６を形成するようにするとともに、ワイシャツ２のボタン２１に掛止されるボタン掛止リング部５をそれぞれ備え、全体をゴム状弾性体により一体に形成されている。【選択図】図２
0003121433.tif 000002
【実用新案登録請求の範囲】
【請求項１】
ネクタイの裏側に設けられたループ部を保持して、該ネクタイのループ部とワイシャツのボタンとを繋ぎ止めるネクタイ留め具において、該ネクタイ留め具が、一端側にリング部を、他端側に前記リング部に挿通することによってネクタイのループ部を保持する保持部を形成するようにするとともに、ワイシャツのボタンに掛止されるボタン掛止リング部とをそれぞれ備え、全体をゴム状弾性体により一体に形成されてなることを特徴とするネクタイ留め具。
【請求項２】
ネクタイ留め具が、全体が略同一断面積の円形状又は楕円形状の線状材からなることを特徴とする請求項１記載のネクタイ留め具。
【考案の詳細な説明】
【技術分野】
【０００１】
本考案は、ネクタイ留め具に関し、特に、ネクタイの裏側に設けられたループ部を保持して、ネクタイのループ部と、ワイシャツのボタンとを繋ぎ止めるネクタイ留め具に関するものである。
【背景技術】
【０００２】
従来、ネクタイ留め具として、ネクタイとシャツを挟んで留めるネクタイピンやタイタックなどがあるが、ネクタイやシャツの生地を傷付けたり、装着感が窮屈に感じられたりすることから、特に若年層においては使用されないことも多くなっている。
【０００３】
このようにネクタイピンやタイタックを使用しない多くの場合は、大剣部の裏側に縫着されたループリボン等のループ部に小剣部を挿入することにより、ネクタイが１本にまとまって見えるように体裁を整えている。
【０００４】
しかしながら、このようにループ部を利用してネクタイをまとめる場合は、ネクタイがワイシャツに拘束されずに自由である反面、食卓などで前屈みに座るときには、首から前方にネクタイが垂れ下がり、ネクタイが食べ物に触れたりするという問題があった。
【０００５】
この問題点を解消するものとして、ネクタイの裏側に設けられたループ部を保持して、ネクタイのループ部と、ワイシャツのボタンとを繋ぎ止めることによって、首から前方にネクタイが垂れ下がることを防止できるようにしたネクタイ留め具が提案されている（例えば、特許文献１参照）。
しかしながら、従来のこの種のネクタイ留め具は、金属製のものが多く、このため、製造に手数を要し製品価格が高くなるという問題や着脱操作がしにくいという問題があった。
【特許文献１】特開平８−１６４００６号公報
【考案の開示】
【考案が解決しようとする課題】
【０００６】
本考案は、上記従来のネクタイ留め具の有する問題点に鑑み、製造に手数を要さず、製品の製造コストを低廉にできるとともに、着脱操作の容易なネクタイ留め具を提供することを目的とする。
【課題を解決するための手段】
【０００７】
上記目的を達成するため、本考案のネクタイ留め具は、ネクタイの裏側に設けられたループ部を保持して、該ネクタイのループ部とワイシャツのボタンとを繋ぎ止めるネクタイ留め具において、該ネクタイ留め具が、一端側にリング部を、他端側に前記リング部に挿通することによってネクタイのループ部を保持する保持部を形成するようにするとともに、ワイシャツのボタンに掛止されるボタン掛止リング部をそれぞれ備え、全体をゴム状弾性体により一体に形成されてなることを特徴とする。
【０００８】
この場合において、ネクタイ留め具を、全体が略同一断面積の円形状又は楕円形状の線状材から構成することができる。
【考案の効果】
【０００９】
本考案のネクタイ留め具によれば、ネクタイ留め具が、一端側にリング部を、他端側に前記リング部に挿通することによってネクタイのループ部を保持する保持部を形成するようにするとともに、ワイシャツのボタンに掛止されるボタン掛止リング部をそれぞれ備え、全体をゴム状弾性体により一体に形成されてなることから、ネクタイのループ部にネクタイ留め具を挿通するとともに、ネクタイ留め具の一端側のリング部にボタン掛止リング部を挿通することによって、ネクタイのループ部を保持する保持部を形成してネクタイのループ部を保持した後、ボタン掛止リング部をワイシャツのボタンに掛止することによって、ネクタイのループ部とワイシャツのボタンとを繋ぎ止めることができる。
そして、ネクタイ留め具は、全体をゴム状弾性体により一体に形成されてなるため、製造に手数を要さず、製品の製造コストを低廉にできるとともに、着脱操作を容易に行うことができる。
【００１０】
ネクタイ留め具を、全体が略同一断面積の円形状又は楕円形状の線状材から構成することにより、強度が均一で破断しにくく、また、変形自在なためネクタイの自由な動きを一定の範囲で許容するネクタイ留め具とすることができる。
【考案を実施するための最良の形態】
【００１１】
以下、本考案のネクタイ留め具の実施の形態を、図面に基づいて説明する。
【実施例１】
【００１２】
図１〜図２に、本考案のネクタイ留め具の一実施例を示す。
このネクタイ留め具は、ネクタイ１の裏側に設けられたループリボン等のループ部１１を保持して、このネクタイ１のループ部１１とワイシャツ２のボタン２１とを繋ぎ止めるためのもので、一端側にリング部４を、他端側にリング部４に挿通することによってネクタイ１のループ部１１を保持する保持部６を形成するようにするとともに、ワイシャツ２のボタン２１に掛止されるボタン掛止リング部５をそれぞれ備え、全体をゴム状弾性体により一体に形成されている。
【００１３】
この場合において、ネクタイ留め具の構成材料には、成形性、着色性、衛生性等を考慮して、シリコンゴム、ウレタンゴム等の合成ゴムのほか、天然ゴムからなるゴム状弾性体を用いることができ、成形型を用いて所定の形状に成形するようにする。
また、ネクタイ留め具の外観は、透明、半透明、不透明のいずれでもよく、色調も無色のほか、任意の色に着色することもできる。
【００１４】
また、このネクタイ留め具は、全体が略同一断面積の円形状又は楕円形状の線状材から構成することが好ましい。
これにより、強度が均一で破断しにくく、また、変形自在なためネクタイの自由な動きを一定の範囲で許容するネクタイ留め具とすることができる。
【００１５】
ところで、本実施例のネクタイ留め具は、具体的には、リング部４とボタン掛止リング部５とを直線状部３で接続して一体とした形状をしている。
ここで、特に限定されるものではないが、直線状部３は、長さ：約２５ｍｍ、断面形状：直径約１．５ｍｍの円形状であり、直線状に形成されている。
また、リング部４は、平面形状：内径約１５ｍｍの円形状、断面形状：直径約１．５ｍｍの円形状であり、ボタン掛止リング部５を挿通し易く、また、指先で取り扱い易い大きさに形成されている。
また、ボタン掛止リング部５は、平面形状：長径が約９ｍｍ、短径が約５ｍｍの長円形状、断面形状：直径約１．５ｍｍの円形状であり、ワイシャツ２のボタン２１に掛止し易く外れにくい大きさに形成されている。
【００１６】
なお、ネクタイ留め具の形状は、この実施例のものに限定されず、例えば、図３（ａ）に示すように、ワイシャツ２のボタン２１の大きさに合わせて選択できるように、２つのボタン掛止リング部５ａ、５ｂを形成するようにしたり、図３（ｂ）に示すように、リング部４を大きく形成して、直線状部３を省略するようにしたり、図３（ｃ）に示すように、直線状部３に代えて蛇行部３’を形成して、ネクタイ１の動きを許容する範囲を拡大できるようにすることもできる。
このほか、ネクタイ留め具の全体又は一部の断面形状を偏平状に形成して変形性（撓み性）を向上するようにしたり、ネクタイ留め具に装飾を施すことによって意匠性を高めたり、ネクタイ留め具の構成材料に、抗菌剤、防臭剤、消臭剤、香料等の機能剤を添加又は塗布することによりネクタイ留め具に各種機能を付与するようにすることもできる。
【００１７】
次に、このネクタイ留め具の使用方法を説明する。
このネクタイ留め具は、ループリボンや小剣部１２を通す専用のループ等の大剣部１３の裏側に設けられたネクタイ１のループ部１１を保持して、このネクタイ１のループ部１１とワイシャツ２のボタン２１とを繋ぎ止めるために使用する。
すなわち、ネクタイ１のループ部１１にネクタイ留め具を挿通するとともに、ネクタイ留め具の一端側のリング部４にボタン掛止リング部５を挿通することによって、ネクタイのループ部１１を保持する保持部６を形成してネクタイ１のループ部１１を保持した後、ボタン掛止リング部５をワイシャツ２のボタン２１に掛止することによって、ネクタイ１のループ部１１とワイシャツ２のボタン２１とを繋ぎ止めるようにする。
そして、ネクタイ留め具は、全体をゴム状弾性体により一体に形成されてなるため、製造に手数を要さず、製品の製造コストを低廉にできるとともに、着脱操作を容易に行うことができる。
このネクタイ留め具によって、ネクタイ１の自由な動きを一定の範囲で許容しながらネクタイ１のループ部１１とワイシャツ２のボタン２１とを繋ぎ止めることができ、首から前方にネクタイ１が垂れ下がることを防止し、ネクタイ１が食べ物に触れたりすることを防ぐことができる。
【００１８】
以上、本考案のネクタイ留め具について、その実施例に基づいて説明したが、本考案は上記実施例に記載した構成に限定されるものではなく、その趣旨を逸脱しない範囲において適宜その構成を変更することができる。
【産業上の利用可能性】
【００１９】
本考案のネクタイ留め具は、製造に手数を要さず、製品の製造コストを低廉にできるとともに、着脱操作が容易であることから、例えば、ループリボン等のループ部を備えたネクタイのネクタイ留め具として好適に用いることができる。
【図面の簡単な説明】
【００２０】
【図１】本考案のネクタイ留め具の一実施例を示し、（ａ）は正面図、（ｂ）は斜視図である。
【図２】同ネクタイ留め具の装着状態を示し、（ａ）は断面図、（ｂ）は小剣部を省略した斜視透視図である。
【図３】本考案のネクタイ留め具の変形実施例を示す説明図である。
【符号の説明】
【００２１】
１    ネクタイ
１１  ループ部
１２  小剣部
１３  大剣部
２    ワイシャツ
２１  ボタン
３    直線状部
４    リング部
５    ボタン掛止リング部
５ａ  ボタン掛止リング部
５ｂ  ボタン掛止リング部
６    保持部
【図１】
0003121433.tif 000003
【図２】
0003121433.tif 000004
【図３】
0003121433.tif 000005